(57)【要約】      （修正有）【課題】被吊り下げ物を一つの吊り下げ具で、吊り下げることができ、且つ簡単に被吊り下げ物がずれないように固定ができる吊り下げ具を提供する。【解決手段】吊り下げ具３は水平板１０と、水平板１０上に固着された押さえ板４０と、を有する。水平板１０は直方体形状であり、水平板の長手方向の後端側には、上部が後方に突出した起立板１１が、延出形成されている。押さえ板４０は略長方形状であり、押さえ板の底面４０ａが長手方向の両端に向かって反り上がって形成されている。水平板の長手方向の先端側に、取り付け箇所に固定するための固着具が固着されている。吊り下げ具３に吊り下げ紐５０を掛ける際に、吊り下げ紐５０が、被吊り下げ物６０に働く重力によって水平板の上面１０ａと底面４０ａの間に入り込み、摩擦力で吊り下げ紐５０が固定される。【選択図】図６
2017153923.tif 000002
【特許請求の範囲】
【請求項１】
水平板と、該水平板上に固着された押さえ板と、を有する吊り下げ具であって、
前記水平板は直方体形状であり、前記押さえ板は略長方形状であり、該押さえ板の底面が長手方向の両端に向かって反り上がって形成され、
前記水平板の長手方向の先端側に、取り付け箇所に固定するための固着具が固着され、
前記吊り下げ具に吊り下げ紐を掛ける際に、該吊り下げ紐が、被吊り下げ物に働く重力によって前記水平板の上面と前記底面の間に入り込み、摩擦力で前記吊り下げ紐が固定されることを特徴とする吊り下げ具。
【請求項２】
前記押さえ板の長手方向の両端に向かって次第に幅狭となる船形状に形成された請求項１に記載の吊り下げ具。
【請求項３】
前記押さえ板は弾性体である請求項１又は２に記載の吊り下げ具。
【請求項４】
前記水平板の長手方向の後端部には、上部が後方に突出した起立板が、延出形成されている請求項１乃至３のいずれか１項に記載の吊り下げ具。
【請求項５】
直方体形状の水平板と、該水平板の長手方向の先端側に固着し、取り付け箇所に固定するための固着具と、からなる吊り下げ具であって、
前記水平板の上面から底面に向かって、該上面の短辺に平行に、内側に傾斜して対向する一対の切込み部が形成され、
吊り下げ紐が、被吊り下げ物に働く重力によって前記切込み部に入り込み、摩擦力で前記吊り下げ紐が固定されることを特徴とする吊り下げ具。
【請求項６】
前記水平板の長手方向の後端部には、上部が後方に突出した起立板が、延出形成されている請求項５に記載の吊り下げ具。
【発明の詳細な説明】
【技術分野】
【０００１】  この発明は、額縁、写真パネル、掛け軸などの被吊り下げ物を吊り下げ具により固定しずれなくする吊り下げ具に関するものである。
【背景技術】
【０００２】  従来、例えば、額縁、写真パネル、掛け軸などの被吊り下げ物を吊り下げ具を用いて吊り下げ、時間が経過すると紐がずれ、前記被吊り下げ物が傾いてしまい、何度も傾きを直す必要があるという課題があった。
【先行技術文献】
【特許文献】
【０００３】
【特許文献１】特開２００４−２０２２２４号公報
【発明の概要】
【発明が解決しようとする課題】
【０００４】  前記特許文献１に記載された吊り下げ具は額縁、写真パネル、掛け軸などの被吊り下げ物をチェーンやワイヤなどにおける所定の位置に容易に吊り下げられる、しかし一つの被吊り下げ物に対し、２つの吊り下げ具を使用する必要があり、前記被吊り下げ物を吊り下げるための吊り下げ具が別に必要という課題があった。【０００５】  本発明は、前記従来の課題を解決すべくなされたものであって額縁、写真パネル、掛け軸などの被吊り下げ物を一つの吊り下げ具で、吊り下げることができ、且つ簡単に被吊り下げ物が傾かないように固定ができる吊り下げ具を提供しようとするものである。
【課題を解決するための手段】
【０００６】  請求項１の吊り下げ具は、水平板と、該水平板上に固着された押さえ板と、を有する吊り下げ具であって、
前記水平板は直方体形状であり、前記押さえ板は略長方形状であり、該押さえ板の底面が長手方向の両端に向かって反り上がって形成され、
前記水平板の長手方向の先端側に、取り付け箇所に固定するための固着具が固着され、
前記吊り下げ具に吊り下げ紐を掛ける際に、該吊り下げ紐が、掛けたものに働く重力によって前記水平板の上面と前記底面の間に入り込み、摩擦力で前記吊り下げ紐が固定されることを特徴とする。
また、請求項２の吊り下げ具は、請求項１において、前記押さえ板の長手方向の両端に向かって次第に幅狭となる船形状に形成されている。
請求項３の吊り下げ具は、請求項１又は２において、前記押さえ板は弾性体である。
請求項４の吊り下げ具は、請求項１乃至３のうちのいずれか１項において、前記水平板の長手方向の後端部には、上部が後方に突出した起立板が、延出形成されている。
請求項５の吊り下げ具は、直方体形状の水平板と、該水平板の長手方向の先端側に固着し、取り付け箇所に固定するための固着具と、からなるフックであって、
前記水平板の上面から底面に向かって、該上面の短辺に平行に、内側に傾斜して対向する一対の切込み部が形成され、
吊り下げ紐が、掛けたものに働く重力によって前記切込み部に入り込み、摩擦力で吊り下げ紐が固定されることを特徴とする。
請求項６の吊り下げ具は、請求項５において前記水平板の長手方向の後端部には、上部が後方に突出した起立板が、延出形成されている。
【発明の効果】
【０００７】  前記構成より成る本発明によれば前記特許文献１の吊り下げ具と比べ、一つの被吊り下げ物に対し、使用する吊り下げ具が一つのみで、一つの吊り下げ具で前記被吊り下げ物を吊り下げ、固定することができる。
請求項１の吊り下げ具は、前記吊り下げ具に吊り下げ紐を掛ける際に、該吊り下げ紐が、掛けたものに働く重力によって前記水平板の上面と前記底面の間に入り込み、摩擦力で前記吊り下げ紐が固定できる。
請求項２の吊り下げ具は、前記押さえ板の長手方向の両端に向かって次第に幅狭となる船形状に形成することで請求項１の吊り下げ具より、吊り下げ紐が簡単に前記水平板の上面と前記押さえ板の底面の間に入り込むようになる。
請求項３の吊り下げ具は、前記押さえ板を弾性体にすることで該押さえ板がたわむことで吊り下げ紐が前記水平板の上面と前記押さえ板の底面の間に入り込みやすくなる。
請求項４の吊り下げ具は、前記水平板の長手方向の後端部に、上部が後方に突出した前記起立板が、延出形成されていることにより、前記吊り下げ紐を入れるときに前記起立板がガイドとなり入れやすくなる。
請求項５の吊り下げ具は、直方体形状の水平板と、該水平板の長手方向の先端側に固着し、取り付け箇所に固定するための固着具と、からなる吊り下げ具であって、前記水平板の上面から底面に向かって、該上面の短辺に平行に、内側に傾斜して対向する一対の切込み部が形成されることで吊り下げ紐が、掛けたものに働く重力によって前記切込み部に入り込み、摩擦力で前記吊り下げ紐が固定される。
請求項６の吊り下げ具は、前記水平板の長手方向の後端部に、上部が後方に突出した前記起立板が、延出形成されていることにより、前記吊り下げ紐を入れるときに前記起立板がガイドとなり入れやすくなる。
【図面の簡単な説明】
【０００８】
【図１】本発明の実施例１の吊り下げ具の斜視図である。
【図２】本発明の実施例２の吊り下げ具の斜視図である。
【図３】本発明の実施例３の吊り下げ具の斜視図である。
【図４】本発明の実施例４の吊り下げ具の斜視図である。
【図５】本発明の実施例５の吊り下げ具の斜視図である。
【図６】実施例３の吊り下げ具を水平に用いて被吊り下げ物（額）を吊り下げる状態を示す図である。
【図７】実施例３の吊り下げ具を垂直に用いて被吊り下げ物（額）を吊り下げる状態を示す図である。
【図８】実施例５の吊り下げ具を水平に用いて被吊り下げ物（額）を吊り下げる状態を示す図である。
【図９】実施例５の吊り下げ具を垂直に用いて被吊り下げ物（額）を吊り下げる状態を示す図である。
【発明を実施するための形態】
【０００９】  以下、本発明の実施形態の吊り下げ具について、添付図面に基づいて説明する。
【実施例１】
【００１０】  この吊り下げ具１は、図１に示すように水平板１０と、水平板１０上に固着された押さえ板３０と、を有する。
本実施例では、押さえ板を固着するのに皿小ねじとナットを使用したが、皿小ねじとナットでなくてもよい。
水平板１０は直方体形状である。
押さえ板３０は略長方形状であり、押さえ板の底面３０ａが長手方向の両端に向かって反り上がって形成されている。
水平板の長手方向の先端側１０ｃに、取り付け箇所に固定するための固着具１２が固着されている。
本実施例では、固着具に木ねじを使用したが、木ねじでなくてもよい。
吊り下げ具１に吊り下げ紐５０を掛ける際に、吊り下げ紐５０が、被吊り下げ物６０に働く重力によって水平板の上面１０ａと底面３０ａの間に入り込み、摩擦力で吊り下げ紐５０が固定される。
押さえ板３０は弾性体である。
本実施例では、弾性体であるが、弾性体でなくてもよい。
本実施例では、押さえ板を弾性体にすることで吊り下げ紐を押し付けたが、特に押し付ける方法は限定されない。
【実施例２】
【００１１】  この吊り下げ具２は、図２に示すように実施例１の水平板の長手方向の後端側１０ｄに更に、上部が後方に突出した起立板１１が、延出形成されている。
【実施例３】
【００１２】  この吊り下げ具３は、図３に示すように水平板１０と、水平板１０上に固着された押さえ板４０と、を有する。
本実施例では、押さえ板を固着するのに皿小ねじとナットを使用したが、皿小ねじとナットでなくてもよい。
水平板１０は直方体形状であり、水平板の長手方向の後端側１０ｄには、上部が後方に突出した起立板１１が、延出形成されている。
本実施例では、起立板が形成されているが、起立板はなくてもよい。
押さえ板４０は略長方形状であり、長手方向の両端に向かって次第に幅狭となる船形状に形成されている。
水平板の長手方向の先端側１０ｃに、取り付け箇所に固定するための固着具１２が固着されている。
本実施例では、固着具に木ねじを使用したが、木ねじでなくてもよい。
吊り下げ具３に吊り下げ紐５０を掛ける際に、吊り下げ紐５０が、被吊り下げ物６０に働く重力によって水平板の上面１０ａと押さえ板の底面４０ａの間に入り込み、摩擦力で吊り下げ紐５０が固定される。
押さえ板４０は弾性体である。
本実施例では、弾性体であるが、弾性体でなくてもよい。
本実施例では、押さえ板を弾性体にすることで吊り下げ紐を押し付けたが、特に押し付ける方法は限定されない。
【実施例４】
【００１３】  この吊り下げ具４は、図４に示すように直方体形状の水平板２０と、水平板の長手方向の先端側２０ｃに固着し、取り付け箇所に固定するための固着具２２と、からなる。
水平板の上面２０ａから水平板の底面２０ｂに向かって、上面２０ａの短辺に平行に、内側に傾斜して対向する一対の切込み部２３が形成されている。
本実施例では、切込み部が一対形成されているが、二対以上でもよい。
吊り下げ具４に吊り下げ紐５０を掛ける際に、吊り下げ紐５０が、被吊り下げ物６０に働く重力によって切込み部２３に入り込み、摩擦力で吊り下げ紐５０が固定される。
【実施例５】
【００１４】  この吊り下げ具５は、図５に示すように実施例４の水平板の長手方向の後端側２０ｄに更に、上部が後方に突出した起立板２１が、延出形成されている。【００１５】  ［使用方法１］
吊り下げ具３を例に使用方法を説明する。吊り下げ具３は、吊り下げ紐５０を吊り下げ具３に掛ける際に、水平板の上面１０ａと押さえ板の底面４０ａの間に吊り下げ紐５０を食い込ませることによって、押さえ板４０の弾性によって働く摩擦力により吊り下げ紐５０が左右に動かなくなるため、被吊り下げ物６０が傾きにくくなる。
押さえ板４０は略長方形状であり、長手方向の両端に向かって次第に幅狭となる船形状に形成されているため、吊り下げ紐５０が入りやすくなっている。
水平板１０の長手方向の後端部１０ｄに、上部が後方に突出した起立板１１が、延出形成されていることにより、吊り下げ紐５０を入れるときに起立板１１がガイドとなり入れやすくなる。
被吊り下げ物６０に働く重力によって、吊り下げ紐５０が押さえ板４０に食い込み、より傾きにくくなる。
図６に示すように、吊り下げ具３を取り付け箇所７０である壁に水平に固定して使用が可能である。
図７に示すように、吊り下げ具３を取り付け箇所８０である長押に垂直に固定して使用が可能である。
吊り下げ具１の使用方法も、船形状の押さえ板と起立板の説明を除いて吊り下げ具３の使用方法と同様であるため、説明を省略する。
吊り下げ具２の使用方法も、船形状の押さえ板の説明を除いて吊り下げ具３の使用方法と同様であるため、説明を省略する。【００１６】  ［使用方法２］
吊り下げ具５を例に使用方法を説明する。吊り下げ具５は、吊り下げ紐５０を吊り下げ具５に掛ける際に、切込み部２３に吊り下げ紐５０を食い込ませることによって、切込み部２３に働く摩擦力により吊り下げ紐５０が左右に動かなくなるため、被吊り下げ物６０が傾きにくくなる。
水平板２０の長手方向の後端部２０ｄに、上部が後方に突出した起立板２１が、延出形成されていることにより、吊り下げ紐５０を入れるときに起立板２１がガイドとなり入れやすくなる。
被吊り下げ物６０に働く重力によって、吊り下げ紐５０が切込み部２３に食い込み、より傾きにくくなる。
図８に示すように、吊り下げ具５を取り付け箇所７０である壁に水平に固定して使用が可能である。
図９に示すように、吊り下げ具５を取り付け箇所８０である長押に垂直に固定して使用が可能である。
吊り下げ具４の使用方法も起立板の説明を除いて吊り下げ具５の使用方法と同様であるため、説明を省略する。
【符号の説明】
【００１７】１、２、３、４、５  吊り下げ具
１０  吊り下げ具１，２，３の水平板
１０ａ  水平板の上面
１０ｃ  水平板の長手方向の先端側
１０ｄ  水平板の長手方向の後端側
１１  吊り下げ具２，３の起立板
１２  固着具
２０  吊り下げ具４，５の水平板
２０ａ  水平板の上面
２０ｂ  水平板の底面
２０ｃ  水平板の長手方向の先端側
２０ｄ  水平板の長手方向の後端側
２１  吊り下げ具５の起立板
２２  固着具
２３  切込み部
３０  吊り下げ部１，２の押さえ板
３０ａ  押さえ板の底面
４０  吊り下げ具３の押さえ板
４０ａ  押さえ板の底面
５０  吊り下げ紐
６０  披吊り下げ物
７０  取り付け箇所
８０  取り付け箇所
【図１】
2017153923.tif 000003
【図２】
2017153923.tif 000004
【図３】
2017153923.tif 000005
【図４】
2017153923.tif 000006
【図５】
2017153923.tif 000007
【図６】
2017153923.tif 000008
【図７】
2017153923.tif 000009
【図８】
2017153923.tif 000010
【図９】
2017153923.tif 000011
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
板部材と、該板部材上に固着された押さえ板と、を有する吊り下げ具であって、
前記板部材は直方体形状であり、前記押さえ板は略長方形状であり、該押さえ板の底面が該押さえ板の長手方向の両端に向かって反り上がって形成され、
前記押さえ板の長手方向と前記板部材の長手方向が一致し、
前記板部材の長手方向の先端側に、取り付け箇所に固定するための固着具が固着され、
前記吊り下げ具に吊り下げ紐を掛ける際に、該吊り下げ紐が、被吊り下げ物に働く重力によって前記板部材の上面と前記底面の間に入り込み、摩擦力で前記吊り下げ紐が固定されることを特徴とする吊り下げ具。
【請求項２】
前記押さえ板は、該押さえ板の長手方向の両端に向かって次第に幅狭となる船形状に形成された請求項１に記載の吊り下げ具。
【請求項３】
前記押さえ板は弾性体である請求項１又は２に記載の吊り下げ具。
【請求項４】
前記板部材の長手方向の後端部には、上部が後方に突出した起立板が、延出形成されている請求項１乃至３のいずれか１項に記載の吊り下げ具。
【請求項５】
直方体形状の板部材と、該板部材の長手方向の先端側に固着し、取り付け箇所に固定するための固着具と、からなる吊り下げ具であって、
前記板部材の上面から底面に向かって、該上面の短辺に平行に、内側に傾斜して対向する一対の切込み部が形成され、
吊り下げ紐が、被吊り下げ物に働く重力によって前記切込み部に入り込み、摩擦力で前記吊り下げ紐が固定されることを特徴とする吊り下げ具。
【請求項６】
前記板部材の長手方向の後端部には、上部が後方に突出した起立板が、延出形成されている請求項５に記載の吊り下げ具。
【手続補正２】
【補正対象書類名】明細書
【補正対象項目名】全文
【補正方法】変更
【補正の内容】
【発明の詳細な説明】
【技術分野】
【０００１】  この発明は、額縁、写真パネル、掛け軸などの被吊り下げ物を吊り下げ具により固定しずれなくする吊り下げ具に関するものである。
【背景技術】
【０００２】  従来、例えば、額縁、写真パネル、掛け軸などの被吊り下げ物を吊り下げ具を用いて吊り下げ、時間が経過すると紐がずれ、前記被吊り下げ物が傾いてしまい、何度も傾きを直す必要があるという課題があった。
【先行技術文献】
【特許文献】
【０００３】
【特許文献１】特開２００４−２０２２２４号公報
【発明の概要】
【発明が解決しようとする課題】
【０００４】  前記特許文献１に記載された吊り下げ具は額縁、写真パネル、掛け軸などの被吊り下げ物をチェーンやワイヤなどにおける所定の位置に容易に吊り下げられる、しかし一つの被吊り下げ物に対し、２つの吊り下げ具を使用する必要があり、前記被吊り下げ物を吊り下げるための吊り下げ具が別に必要という課題があった。【０００５】  本発明は、前記従来の課題を解決すべくなされたものであって額縁、写真パネル、掛け軸などの被吊り下げ物を一つの吊り下げ具で、吊り下げることができ、且つ簡単に被吊り下げ物が傾かないように固定ができる吊り下げ具を提供しようとするものである。
【課題を解決するための手段】
【０００６】  請求項１の吊り下げ具は、板部材と、該板部材上に固着された押さえ板と、を有する吊り下げ具であって、
前記板部材は直方体形状であり、前記押さえ板は略長方形状であり、該押さえ板の底面が該押さえ板の長手方向の両端に向かって反り上がって形成され、
前記押さえ板の長手方向と前記板部材の長手方向が一致し、
前記板部材の長手方向の先端側に、取り付け箇所に固定するための固着具が固着され、
前記吊り下げ具に吊り下げ紐を掛ける際に、該吊り下げ紐が、被吊り下げ物に働く重力によって前記板部材の上面と前記底面の間に入り込み、摩擦力で前記吊り下げ紐が固定されることを特徴とする。
また、請求項２の吊り下げ具は、請求項１において、前記押さえ板は、該押さえ板の長手方向の両端に向かって次第に幅狭となる船形状に形成されている。
請求項３の吊り下げ具は、請求項１又は２において、前記押さえ板は弾性体である。
請求項４の吊り下げ具は、請求項１乃至３のうちのいずれか１項において、前記板部材の長手方向の後端部には、上部が後方に突出した起立板が、延出形成されている。
請求項５の吊り下げ具は、直方体形状の板部材と、該板部材の長手方向の先端側に固着し、取り付け箇所に固定するための固着具と、からなるフックであって、
前記板部材の上面から底面に向かって、該上面の短辺に平行に、内側に傾斜して対向する一対の切込み部が形成され、
吊り下げ紐が、掛けたものに働く重力によって前記切込み部に入り込み、摩擦力で吊り下げ紐が固定されることを特徴とする。
請求項６の吊り下げ具は、請求項５において前記板部材の長手方向の後端部には、上部が後方に突出した起立板が、延出形成されている。
【発明の効果】
【０００７】  前記構成より成る本発明によれば前記特許文献１の吊り下げ具と比べ、一つの被吊り下げ物に対し、使用する吊り下げ具が一つのみで、一つの吊り下げ具で前記被吊り下げ物を吊り下げ、固定することができる。
請求項１の吊り下げ具は、前記吊り下げ具に吊り下げ紐を掛ける際に、該吊り下げ紐が、掛けたものに働く重力によって前記板部材の上面と前記底面の間に入り込み、摩擦力で前記吊り下げ紐が固定できる。
請求項２の吊り下げ具は、前記押さえ板が、該押さえ板の長手方向の両端に向かって次第に幅狭となる船形状に形成することで請求項１の吊り下げ具より、吊り下げ紐が簡単に前記板部材の上面と前記押さえ板の底面の間に入り込むようになる。
請求項３の吊り下げ具は、前記押さえ板を弾性体にすることで該押さえ板がたわむことで吊り下げ紐が前記板部材の上面と前記押さえ板の底面の間に入り込みやすくなる。
請求項４の吊り下げ具は、前記板部材の長手方向の後端部に、上部が後方に突出した前記起立板が、延出形成されていることにより、前記吊り下げ紐を入れるときに前記起立板がガイドとなり入れやすくなる。
請求項５の吊り下げ具は、直方体形状の板部材と、該板部材の長手方向の先端側に固着し、取り付け箇所に固定するための固着具と、からなる吊り下げ具であって、前記板部材の上面から底面に向かって、該上面の短辺に平行に、内側に傾斜して対向する一対の切込み部が形成されることで吊り下げ紐が、掛けたものに働く重力によって前記切込み部に入り込み、摩擦力で前記吊り下げ紐が固定される。
請求項６の吊り下げ具は、前記板部材の長手方向の後端部に、上部が後方に突出した前記起立板が、延出形成されていることにより、前記吊り下げ紐を入れるときに前記起立板がガイドとなり入れやすくなる。
【図面の簡単な説明】
【０００８】
【図１】本発明の実施例１の吊り下げ具の斜視図である。
【図２】本発明の実施例２の吊り下げ具の斜視図である。
【図３】本発明の実施例３の吊り下げ具の斜視図である。
【図４】本発明の実施例４の吊り下げ具の斜視図である。
【図５】本発明の実施例５の吊り下げ具の斜視図である。
【図６】実施例３の吊り下げ具を水平に用いて被吊り下げ物（額）を吊り下げる状態を示す図である。
【図７】実施例３の吊り下げ具を垂直に用いて被吊り下げ物（額）を吊り下げる状態を示す図である。
【図８】実施例５の吊り下げ具を水平に用いて被吊り下げ物（額）を吊り下げる状態を示す図である。
【図９】実施例５の吊り下げ具を垂直に用いて被吊り下げ物（額）を吊り下げる状態を示す図である。
【発明を実施するための形態】
【０００９】  以下、本発明の実施形態の吊り下げ具について、添付図面に基づいて説明する。
【実施例１】
【００１０】  この吊り下げ具１は、図１に示すように板部材１０と、板部材１０上に固着された押さえ板３０と、を有する。
本実施例では、押さえ板を固着するのに皿小ねじとナットを使用したが、皿小ねじとナットでなくてもよい。
板部材１０は直方体形状である。
押さえ板３０は略長方形状であり、押さえ板の底面３０ａが長手方向の両端に向かって反り上がって形成されている。
板部材の長手方向の先端側１０ｃに、取り付け箇所に固定するための固着具１２が固着されている。
本実施例では、固着具に木ねじを使用したが、木ねじでなくてもよい。
吊り下げ具１に吊り下げ紐５０を掛ける際に、吊り下げ紐５０が、被吊り下げ物６０に働く重力によって板部材の上面１０ａと底面３０ａの間に入り込み、摩擦力で吊り下げ紐５０が固定される。
押さえ板３０は弾性体である。
本実施例では、弾性体であるが、弾性体でなくてもよい。
本実施例では、押さえ板を弾性体にすることで吊り下げ紐を押し付けたが、特に押し付ける方法は限定されない。
【実施例２】
【００１１】  この吊り下げ具２は、図２に示すように実施例１の板部材の長手方向の後端側１０ｄに更に、上部が後方に突出した起立板１１が、延出形成されている。
【実施例３】
【００１２】この吊り下げ具３は、図３に示すように板部材１０と、板部材１０上に固着された押さえ板４０と、を有する。
本実施例では、押さえ板を固着するのに皿小ねじとナットを使用したが、皿小ねじとナットでなくてもよい。
板部材１０は直方体形状であり、板部材の長手方向の後端側１０ｄには、上部が後方に突出した起立板１１が、延出形成されている。
本実施例では、起立板が形成されているが、起立板はなくてもよい。
押さえ板４０は略長方形状であり、長手方向の両端に向かって次第に幅狭となる船形状に形成されている。
板部材の長手方向の先端側１０ｃに、取り付け箇所に固定するための固着具１２が固着されている。
本実施例では、固着具に木ねじを使用したが、木ねじでなくてもよい。吊り下げ具３に吊り下げ紐５０を掛ける際に、吊り下げ紐５０が、被吊り下げ物６０に働く重力によって板部材の上面１０ａと押さえ板の底面４０ａの間に入り込み、摩擦力で吊り下げ紐５０が固定される。
押さえ板４０は弾性体である。
本実施例では、弾性体であるが、弾性体でなくてもよい。
本実施例では、押さえ板を弾性体にすることで吊り下げ紐を押し付けたが、特に押し付ける方法は限定されない。
【実施例４】
【００１３】  この吊り下げ具４は、図４に示すように直方体形状の板部材２０と、板部材の長手方向の先端側２０ｃに固着し、取り付け箇所に固定するための固着具２２と、からなる。
板部材の上面２０ａから板部材の底面２０ｂに向かって、上面２０ａの短辺に平行に、内側に傾斜して対向する一対の切込み部２３が形成されている。
本実施例では、切込み部が一対形成されているが、二対以上でもよい。
吊り下げ具４に吊り下げ紐５０を掛ける際に、吊り下げ紐５０が、被吊り下げ物６０に働く重力によって切込み部２３に入り込み、摩擦力で吊り下げ紐５０が固定される。
【実施例５】
【００１４】  この吊り下げ具５は、図５に示すように実施例４の板部材の長手方向の後端側２０ｄに更に、上部が後方に突出した起立板２１が、延出形成されている。【００１５】［使用方法１］
吊り下げ具３を例に使用方法を説明する。吊り下げ具３は、吊り下げ紐５０を吊り下げ具３に掛ける際に、板部材の上面１０ａと押さえ板の底面４０ａの間に吊り下げ紐５０を食い込ませることによって、押さえ板４０の弾性によって働く摩擦力により吊り下げ紐５０が左右に動かなくなるため、被吊り下げ物６０が傾きにくくなる。
押さえ板４０は略長方形状であり、長手方向の両端に向かって次第に幅狭となる船形状に形成されているため、吊り下げ紐５０が入りやすくなっている。板部材１０の長手方向の後端部１０ｄに、上部が後方に突出した起立板１１が、延出形成されていることにより、吊り下げ紐５０を入れるときに起立板１１がガイドとなり入れやすくなる。
被吊り下げ物６０に働く重力によって、吊り下げ紐５０が押さえ板４０に食い込み、より傾きにくくなる。
図６に示すように、吊り下げ具３を取り付け箇所７０である壁に水平に固定して使用が可能である。
図７に示すように、吊り下げ具３を取り付け箇所８０である長押に垂直に固定して使用が可能である。吊り下げ具１の使用方法も、船形状の押さえ板と起立板の説明を除いて吊り下げ具３の使用方法と同様であるため、説明を省略する。
吊り下げ具２の使用方法も、船形状の押さえ板の説明を除いて吊り下げ具３の使用方法と同様であるため、説明を省略する。【００１６】［使用方法２］
吊り下げ具５を例に使用方法を説明する。吊り下げ具５は、吊り下げ紐５０を吊り下げ具５に掛ける際に、切込み部２３に吊り下げ紐５０を食い込ませることによって、切込み部２３に働く摩擦力により吊り下げ紐５０が左右に動かなくなるため、被吊り下げ物６０が傾きにくくなる。
板部材２０の長手方向の後端部２０ｄに、上部が後方に突出した起立板２１が、延出形成されていることにより、吊り下げ紐５０を入れるときに起立板２１がガイドとなり入れやすくなる。
被吊り下げ物６０に働く重力によって、吊り下げ紐５０が切込み部２３に食い込み、より傾きにくくなる。
図８に示すように、吊り下げ具５を取り付け箇所７０である壁に水平に固定して使用が可能である。
図９に示すように、吊り下げ具５を取り付け箇所８０である長押に垂直に固定して使用が可能である。
吊り下げ具４の使用方法も起立板の説明を除いて吊り下げ具５の使用方法と同様であるため、説明を省略する。
【符号の説明】
【００１７】１、２、３、４、５  吊り下げ具
１０  吊り下げ具１，２，３の板部材
１０ａ  板部材の上面
１０ｃ  板部材の長手方向の先端側
１０ｄ  板部材の長手方向の後端側
１１  吊り下げ具２，３の起立板
１２  固着具
２０  吊り下げ具４，５の板部材
２０ａ  板部材の上面
２０ｂ  板部材の底面
２０ｃ  板部材の長手方向の先端側
２０ｄ  板部材の長手方向の後端側
２１  吊り下げ具５の起立板
２２  固着具
２３  切込み部
３０  吊り下げ部１，２の押さえ板
３０ａ  押さえ板の底面
４０  吊り下げ具３の押さえ板
４０ａ  押さえ板の底面
５０  吊り下げ紐
６０  披吊り下げ物
７０  取り付け箇所
８０  取り付け箇所